(57)【要約】【課題】従来よりも画像信号に対する操作信号のクロストークを抑制することができる通信ケーブルを提供する。【解決手段】ＬＡＮケーブル３は、Ｒ信号用の対線（２本の信号線）、Ｇ信号用の対線（２本の信号線）、Ｂ信号用の対線（２本の信号線）、及び操作信号用の対線（２本の信号線）を含み、操作信号用の対線は、シールド部材３２によってシールドされている。これにより、従来よりも画像信号に対する操作信号のクロストークを抑制することができる。【選択図】図６
2010123550.tif 000002
【特許請求の範囲】
【請求項１】
情報処理装置に接続される第１通信装置と、コンソールに接続される第２通信装置との間に接続される通信ケーブルであって、
前記情報処理装置からの映像信号を前記第１通信装置及び前記第２通信装置を介して前記コンソールに映像信号を送信する３対の信号線と、前記コンソールからの操作信号を前記第１通信装置及び前記第２通信装置を介して前記情報処理装置に送信する１対の信号信号線とを含み、
前記１対の信号信号線は、シールド部材によりシールドされていることを特徴とする通信ケーブル。
【請求項２】
前記シールド部材の両端は接地されていることを特徴とする請求項１記載の通信ケーブル。
【発明の詳細な説明】
【技術分野】
【０００１】
本発明は、複数の通信装置間に接続される通信ケーブルに関する。
【背景技術】
【０００２】
従来より、サーバから百メートル程度離れているコンソールでサーバを操作するためにサーバとコンソール（キーボード、マウス、モニタなど）との間に設けられる遠隔ユニットが知られている（例えば、特許文献１参照）。
【０００３】
遠隔ユニットは、ローカル装置とリモート装置で構成されており、ローカル装置とリモート装置との間は、ＬＡＮ（Local Area Network）ケーブルで接続されている。ローカル装置には、サーバが接続され、リモート装置にはコンソールが接続されている。
【特許文献１】特開２００４−３５６９３９号公報
【発明の開示】
【発明が解決しようとする課題】
【０００４】
ところで、遠隔ユニットでは、リモート装置がローカル装置にマウス又はキーボードの操作信号を送信すると共にローカル装置から画像信号とを受信する。ローカル装置は、リモート装置から操作信号を受信すると共にリモート装置に画像信号を送信する。このため、操作信号及び画像信号がＬＡＮケーブルに同時に流れる場合に、画像信号が操作信号のクロストーク（ノイズに相当する）により乱れ、画像信号の画質が低下する場合がある。
【０００５】
本発明の目的は、従来よりも画像信号に対する操作信号のクロストークを抑制することができる通信ケーブルを提供することにある。
【課題を解決するための手段】
【０００６】
上記目的を達成するため、本発明は、情報処理装置に接続される第１通信装置と、コンソールに接続される第２通信装置との間に接続される通信ケーブルであって、前記情報処理装置からの映像信号を前記第１通信装置及び前記第２通信装置を介して前記コンソールに映像信号を送信する３対の信号線と、前記コンソールからの操作信号を前記第１通信装置及び前記第２通信装置を介して前記情報処理装置に送信する１対の信号信号線とを含み、前記１対の信号信号線は、シールド部材によりシールドされていることを特徴とする。
【０００７】
かかる構成によれば、従来よりも画像信号に対する操作信号のクロストークを防止することができる。
【０００８】
好ましくは、前記シールド部材の両端は接地されていることを特徴とする。
【０００９】
かかる構成によれば、より効果的に画像信号に対する操作信号のクロストークを防止することができる。
【発明の効果】
【００１０】
本発明によれば、従来よりも画像信号に対する操作信号のクロストークを抑制することができる。
【発明を実施するための最良の形態】
【００１１】
以下、図面を参照しながら本発明の実施の形態を説明する。
【００１２】
図１は、遠隔ユニットを含むシステムの構成図である。
【００１３】
同図において、システム１０は、遠隔ユニットを構成するローカル装置１（第１通信装置）及びリモート装置２（第２通信装置）、サーバ４、マウス５、キーボード６、モニタ７及びプリンタ８を含む。ローカル装置１とリモート装置２との間は、ＬＡＮケーブル３で接続されている。ＬＡＮケーブル３の長さは、３００メートルである。サーバ４は、ローカル装置１に接続され、マウス５、キーボード６、モニタ７及びプリンタ８はリモート装置２に接続されている。尚、マウス５、キーボード６、モニタ７及びプリンタ８は、コンソールとして機能する。
【００１４】
ローカル装置１は、サーバ４から画像信号（即ち、ＲＧＢ信号）を受信し、ＬＡＮケーブル３を介してリモート装置２に送信する。また、ローカル装置１は、リモート装置２に入力された、マウス５又はキーボード６の操作信号をＬＡＮケーブル３を介して受信し、サーバ４に送信する。リモート装置２は、ローカル装置１からＬＡＮケーブル３を介して画像信号を受信し、モニタ７に画像信号を送信すると共にマウス５及びキーボード６の操作信号をＬＡＮケーブル３を介してローカル装置１に送信する。これにより、ユーザは、マウス５及びキーボード６からサーバ４を操作することができる。
【００１５】
図１において、点Ａは、ＬＡＮケーブル３が接続されるローカル装置１のポート（不図示）を示し、リモート装置２から受信される操作信号の信号波形の観測点である。点Ｂは、ＬＡＮケーブル３が接続されるリモート装置２のポート（不図示）を示し、ローカル装置１から受信される画像信号の信号波形の観測点である。
【００１６】
尚、ローカル装置１にもマウス、キーボード及びモニタ（不図示）を接続することができる。
【００１７】
図２は、遠隔ユニットの概略構成を示すブロック図である。
【００１８】
ローカル装置１は、制御部１０１、ＲＳ４８５トランシーバ１０２、エコーキャンセル回路１０３、イコライザー１０４及びコネクタ１０５を備えている。リモート装置２は、制御部２０１、ＲＳ４８５トランシーバ２０２、エコーキャンセル回路２０３、イコライザー２０４、コネクタ２０５及びフィルター回路２０６を備えている。
【００１９】
制御部１０１，２０１は、ＦＰＧＡ（Field Programmable Gate Array；プログラムにより動作可能なＬＳＩ）で構成され、画像信号及び操作信号の送受信に必要な制御（例えば、画像信号及び操作信号の出力先の切替）を行う。ＲＳ４８５トランシーバ１０２は、リモート装置２から受信した操作信号をサーバ４に出力すると共にサーバ４からの画像信号をリモート装置２へ送信する。ＲＳ４８５トランシーバ２０２は、リモート装置２から受信した画像信号をモニタ７に出力すると共にマウス５又はキーボード６からの操作信号をローカル装置１へ送信する。
【００２０】
エコーキャンセル回路１０３は、リモート装置２に送信された画像信号の反射による入力をキャンセルする。エコーキャンセル回路２０３は、ローカル装置１に送信された操作信号の反射による入力をキャンセルする。
【００２１】
イコライザー１０４は、リモート装置２から受信された操作信号を増幅し、ＲＳ４８５トランシーバ１０２を介して制御部１０１へ送信する。イコライザー２０４は、ローカル装置１から受信された画像信号を増幅し、ＲＳ４８５トランシーバ２０２を介して制御部２０１へ送信する。増幅された画像信号はモニタ７に出力される。コネクタ１０５はＬＡＮケーブル３をエコーキャンセル回路１０３に接続し、コネクタ２０５はＬＡＮケーブル３をエコーキャンセル回路２０３に接続する。
【００２２】
フィルター回路２０６は、ローカル装置１に送信する操作信号がローカル装置１から受信した画像信号に干渉することを防止するため、操作信号の立ち上がり及び立ち下がりの速度を遅くする、即ち、操作信号の出力波形を滑らかにする。これにより、操作信号の立ち上がり及び立ち下がりが滑らかになり、ローカル装置１から受信した画像信号にノイズが乗ることが回避される。
【００２３】
図３は、ＬＡＮケーブル３の仕様を示す図である。
【００２４】
ＬＡＮケーブル３は、例えばCat5（category 5）ケーブルで構成され、８本の信号線を含む。番号１，２の信号線では、差動信号としてのＲ信号（図３のＲ＋，Ｒ−）がローカル装置１からリモート装置２に送信される。
【００２５】
番号４，５の信号線では、差動信号としてのＧ信号（図３のＧ＋，Ｇ−）がローカル装置１からリモート装置２に送信されており、番号７，８の信号線では、差動信号としてのＢ信号（図３のＢ＋，Ｂ−）がローカル装置１からリモート装置２に送信されている。例えば、ローカル装置１において、Ｇ信号には水平同期信号が重畳され、Ｂ信号には垂直同期信号が重畳され、リモート装置２において、これらの重畳信号は元に戻される。
【００２６】
番号３，６の信号線では、差動信号としての操作信号（図３のＵＳＢ１，ＵＳＢ２）がリモート装置２からローカル装置１に送信されている。
【００２７】
図４（Ａ）は、ＬＡＮケーブル３の概略構成の第１の例を示す図であり、図４（Ｂ）は、図４（Ａ）のＬＡＮケーブル３が使用されたときの操作信号の波形及び画像信号（Ｒ）の波形を示す図である。図５（Ａ）は、ＬＡＮケーブル３の概略構成の第２の例を示す図であり、図５（Ｂ）は、図５（Ａ）のＬＡＮケーブル３が使用されたときの操作信号の波形及び画像信号（Ｒ）の波形を示す図である。図６（Ａ）は、ＬＡＮケーブル３の概略構成の第３の例を示す図であり、図６（Ｂ）は、図６（Ａ）のＬＡＮケーブル３が使用されたときの操作信号の波形及び画像信号（Ｒ）の波形を示す図である。
【００２８】
本発明者は、図４（Ａ）、図５（Ａ）、及び図６（Ａ）のＬＡＮケーブルを作成し、各ＬＡＮケーブルを使って実際に操作信号の波形及び画像信号（Ｒ）の波形を測定した（図４（Ｂ）、図５（Ｂ）、及び図６（Ｂ）参照）。
【００２９】
ＬＡＮケーブル３は、BELDEN社製の１００メートルのＬＡＮケーブルであり（型番1700A）、シールド部材付きの対線として、BELDEN社製の型番1885ENHのＣＡＴ７ケーブルに含まれている対線を利用した。また、操作信号の波形及び画像信号（Ｒ）の波形は、富士通コンポーネント社製の遠隔ユニット（型番ＦＥ−１５００ＣＷＶ）を利用して測定した。
【００３０】
図４（Ａ）では、ＬＡＮケーブル３は、Ｒ信号用の対線（２本の信号線）、Ｇ信号用の対線（２本の信号線）、Ｂ信号用の対線（２本の信号線）、及び操作信号用の対線（２本の信号線）を含む。これらの対線は、すべてシールドされていない。このため、図４（Ｂ）に示すように、操作信号の立ち上がり及び立ち下がり時に、操作信号のクロストークにより画像信号（Ｒ）に約１５０ｍｖのノイズが発生し、このノイズが画像信号の画質に悪影響を与えていた。
【００３１】
図５（Ａ）のＬＡＮケーブル３では、Ｒ信号用の対線、Ｇ信号用の対線、及びＢ信号用の対線がそれぞれシールド部材３１Ｒ、３１Ｇ、３１Ｂによってシールドされており、操作信号用の対線はシールドされていない。また、シール部材３１Ｒ、３１Ｇ、３１Ｂの両端はそれぞれ接地されている。この場合、図５（Ｂ）に示すように、画像信号（Ｒ）は不安定な状態になり、正常な画像の表示が困難になった。
【００３２】
尚、図７に示すような、Ｒ信号用の対線、Ｇ信号用の対線、Ｂ信号用の対線、及び操作信号用の対線の各々がシールドされているCat7（category 7）ケーブルを使用した場合にも、操作信号の波形及び画像信号（Ｒ）の波形は図５（Ｂ）に示すような形状を示した。
【００３３】
図６（Ａ）のＬＡＮケーブル３では、操作信号用の対線は、シールド部材３２によってシールドされており、Ｒ信号用の対線、Ｇ信号用の対線、及びＢ信号用の対線はシールドされていない。また、シール部材３２の両端は接地されている。この場合、図６（Ｂ）に示すように、画像信号（Ｒ）に発生するノイズを約８５ｍｖに抑えることができた。この約８５ｍｖのノイズは、主としてローカル装置１の内部で生じているクロストークである。この結果、画像信号はモニタ７に鮮明に表示することができた。
【００３４】
以上説明したように、本実施の形態によれば、操作信号用の対線のみがシールド部材３２によってシールドされる。これにより、従来よりも画像信号に対する操作信号のクロストークを抑制することができる。
【００３５】
尚、本発明は、上述した実施の形態に限定されるものではなく、その要旨を逸脱しない範囲内で種々変形して実施することが可能である。
【図面の簡単な説明】
【００３６】
【図１】遠隔ユニットを含むシステムの構成図である。
【図２】遠隔ユニットの概略構成を示すブロック図である。
【図３】ＬＡＮケーブル３の仕様を示す図である。
【図４】（Ａ）は、ＬＡＮケーブル３の概略構成の第１の例を示す図であり、（Ｂ）は、図４（Ａ）のＬＡＮケーブル３が使用されたときの操作信号の波形及び画像信号（Ｒ）の波形を示す図である。
【図５】（Ａ）は、ＬＡＮケーブル３の概略構成の第２の例を示す図であり、（Ｂ）は、図５（Ａ）のＬＡＮケーブル３が使用されたときの操作信号の波形及び画像信号（Ｒ）の波形を示す図である。
【図６】（Ａ）は、ＬＡＮケーブル３の概略構成の第３の例を示す図であり、（Ｂ）は、図６（Ａ）のＬＡＮケーブル３が使用されたときの操作信号の波形及び画像信号（Ｒ）の波形を示す図である。
【図７】Cat7（category 7）ケーブルの概略構成を示す図である。
【符号の説明】
【００３７】
１  ローカル装置
２  リモート装置
４  サーバ
５  マウス
６  キーボード
７  モニタ
８  プリンタ
３１Ｒ，３１Ｇ，３１Ｂ，３２  シールド部材
１０１，２０１  制御部
１０２，２０２  ＲＳ４８５トランシーバ
１０３，２０３  エコーキャンセル回路
１０４，２０４  イコライザー
１０５，２０５  コネクタ
２０６  フィルター回路
【図１】
2010123550.tif 000003
【図２】
2010123550.tif 000004
【図３】
2010123550.tif 000005
【図４】
2010123550.tif 000006
【図５】
2010123550.tif 000007
【図６】
2010123550.tif 000008
【図７】
2010123550.tif 000009